(57)【要約】【課題】多量の原稿を連続してスキャンして読み取りを実行する際に、ユーザが特定の手順に縛られず、より実用的な順序で処理することが可能な原稿読み取り装置、及び原稿読み取り方法を提供する。【解決手段】原稿の読み取りを行う際のスキャンパラメータであるスキャン指示情報毎に、当該スキャン指示情報の状態を示すスキャン状態情報を作成する。そして、リスト処理に際して原稿の読み取りを行うことができない場合は、スキャン状態情報を「保留」とし、次に原稿の読み取りを行うスキャン指示情報の原稿の読み取りを行う。  【選択図】  図１
2006067475.tif 000002
【特許請求の範囲】
【請求項１】
スキャン指示情報リストに従って原稿の読み取りを行う原稿読み取り装置において、
前記スキャン指示情報リストのスキャン指示情報毎にスキャン状態情報を作成するスキャン状態情報作成部と、
原稿の読み取りを行う前記スキャン指示情報を指示するスキャン指示情報選択部と
を具備することを特徴とする原稿読み取り装置。
【請求項２】
スキャン指示情報リストに従って原稿の読み取りを行う原稿読み取り装置において、
前記スキャン指示情報リストのスキャン指示情報毎にスキャン状態情報を作成するスキャン状態情報作成部と、
前記スキャン指示情報に対応するスキャン状態情報に対して、原稿の読み取りの保留を指示するスキャン処理指示部と、
前記保留が指示されると次の原稿読み取りのためのスキャン指示情報を読み出すスキャン指示情報読み出し部と
を具備することを特徴とする原稿読み取り装置。
【請求項３】
前記スキャン情報指示リストに従って原稿の読み取りを行うリスト処理の中断を指示する手段と、
前記リスト処理の再開を指示する手段と、
前記スキャン指示情報と前記スキャン状態情報とを保存するスキャン指示情報記憶部と
をさらに具備し、
前記リスト処理の中断が指示されると、前記スキャン指示情報と前記スキャン状態情報とを保存し、
前記リスト処理の再開が指示されると、前記スキャン指示情報と前記スキャン状態情報とを読み出して、リスト処理を開始する
ことを特徴とする請求項２記載の原稿読み取り装置。
【請求項４】
前記スキャン状態情報作成部は、原稿の読み取り時にエラーが検出されると、該エラーを検出した際の前記スキャン指示情報に対応するスキャン状態情報を保留とすることを特徴とする請求項２記載の原稿読み取り装置。
【請求項５】
前記スキャン指示情報読み出し部は、
前記スキャン状態情報に基づき、任意の状態の前記スキャン指示情報を前記スキャン指示情報リストから抽出して一覧表示し、
前記スキャン指示情報リストから抽出された前記スキャン指示情報の中から原稿の読み取りを行うスキャン指示情報を読み出す
ことを特徴とする請求項２又は４記載の原稿読み取り装置。
【請求項６】
前記スキャン指示情報リストから抽出する前記スキャン指示情報の状態を指示する抽出情報指示部と、
原稿の読み取りを行う前記スキャン指示情報を指示するスキャン指示情報選択部と
をさらに具備することを特徴とする請求項５記載の原稿読み取り装置。
【請求項７】
前記スキャン指示情報読み出し部は、原稿の読み取りを保留した状態の前記スキャン指示情報を前記スキャン指示情報リストから抽出して一覧表示することを特徴とする請求項５又は６記載の原稿読み取り装置。
【請求項８】
スキャン指示情報リストに従って原稿の読み取りを行う原稿読み取り方法において、
前記スキャン指示情報リストのスキャン指示情報毎にスキャン状態情報作成部でスキャン状態情報を作成し、
スキャン指示情報選択部で指示された前記スキャン指示情報の原稿の読み取りを行う
ことを特徴とする原稿読み取り方法。
【請求項９】
スキャン指示情報リストに従って原稿の読み取りを行う原稿読み取り方法において、
前記スキャン指示情報リストのスキャン指示情報毎にスキャン状態情報作成部でスキャン状態情報を作成し、
原稿の読み取りの保留が指示されると保留された原稿の読み取りに対応する前記スキャン指示情報の前記スキャン状態情報を「保留」とし、
次に原稿の読み取りを行うスキャン指示情報をスキャン指示情報読み出し部で読み出す
ことを特徴とする原稿読み取り方法。
【請求項１０】
前記スキャン情報指示リストに従って原稿の読み取りを行うリスト処理の中断が指示されると、前記スキャン指示情報と前記スキャン状態情報とをスキャン指示情報記憶部に保存し、
前記リスト処理の再開が指示されると、前記スキャン指示情報と前記スキャン状態情報とを読み出して、リスト処理を開始する
ことを特徴とする請求項９記載の原稿読み取り方法。
【請求項１１】
原稿の読み取り時にエラーが検出されると、該エラーを検出した際の前記スキャン指示情報の状態を保留とすることを特徴とする請求項９記載の原稿読み取り方法。
【請求項１２】
前記スキャン状態情報に基づき、任意の状態の前記スキャン指示情報を前記スキャン指示情報リストから抽出して一覧表示し、
前記スキャン指示情報リストから抽出された前記スキャン指示情報の中から原稿の読み取りを行うスキャン指示情報を読み出す
ことを特徴とする請求項９又は１１記載の原稿読み取り方法。
【請求項１３】
抽出情報指示部で指示された状態の前記スキャン指示情報を前記スキャン指示情報リストから抽出し、
スキャン指示情報選択部で指示された前記スキャン指示情報の原稿の読み取りを行う
ことを特徴とする請求項１２記載の原稿読み取り方法。
【請求項１４】
原稿の読み取りを保留した状態の前記スキャン指示情報を前記スキャン指示情報リストから抽出することを特徴とする請求項１２又は１３記載の原稿読み取り方法。
【発明の詳細な説明】
【技術分野】
【０００１】
本発明は、原稿読み取り装置、及び原稿読み取り方法に関し、特に、複数枚の原稿を読み込んで処理することが可能な原稿読み取り装置、及び原稿読み取り方法に関する。
【背景技術】
【０００２】
多量の原稿をスキャンして読み取る作業は、かなり時間がかかる作業である。原稿の取り違えを防止し、連続的に作業を進められるように工夫されたものとして、原稿の読み取りに必要な情報のリストを作成し、読み取り作業の際、この情報の中から入力原稿を特定するための情報を表示し、ユーザがこの表示を参考に入力原稿を選択して読み取りを行うものがある（例えば、特許文献１参照）。
【特許文献１】特開平１１−２１５３４３号公報
【発明の開示】
【発明が解決しようとする課題】
【０００３】
しかし、リストに従って順次処理を行うため、処理の順序を入れ替えることができず、原稿の順序がリストの順序と異なった場合は、原稿の順序を入れ替えなければ作業を継続することができなかった。
【０００４】
このため、原稿を準備することができない場合は、準備ができるまで作業を一旦中断するか、人手によって中断個所を記録し、原稿が準備できた後に別の作業として原稿の読み取りを行い、先に読み取った画像に追加する処理を行わなければならなかった。
【０００５】
また、リスト全体の処理を終わらずに読み取り作業を中断した場合、処理を中断した個所から読み取りを再開することができないため、多量の原稿をスキャンする場合は、一人のユーザが長時間装置を占有していた。
【０００６】
さらに、決められた時間内に作業を終了することができない場合など、作業を中断しなければならない場合は、原稿を準備できない場合と同様に、別の作業として原稿の読み取りを行い、先に読み取った画像に追加する処理を行わなければならず、大変な手間であった。
【０００７】
そこで本発明では、多量の原稿を連続してスキャンして読み取りを実行する際に、ユーザが特定の手順に縛られず、より実用的な順序で処理することが可能な原稿読み取り装置、及び原稿読み取り方法を提供することを目的とする。
【課題を解決するための手段】
【０００８】
本発明における原稿読み取り装置は、スキャン指示情報リストに従って原稿の読み取りを行う原稿読み取り装置において、前記スキャン指示情報リストのスキャン指示情報毎にスキャン状態情報を作成するスキャン状態情報作成部と、原稿の読み取りを行う前記スキャン指示情報を指示するスキャン指示情報選択部とを具備する。
【０００９】
また、本発明における原稿読み取り装置は、スキャン指示情報リストに従って原稿の読み取りを行う原稿読み取り装置において、前記スキャン指示情報リストのスキャン指示情報毎にスキャン状態情報を作成するスキャン状態情報作成部と、前記スキャン指示情報に対応する原稿の読み取りの保留を指示するスキャン処理指示部と、前記保留が指示されると次に原稿の読み取りを行うスキャン指示情報を読み出すスキャン指示情報読み出し部とを具備する。
【００１０】
また、前記スキャン情報指示リストに従って原稿の読み取りを行うリスト処理の中断を指示する手段と、前記リスト処理の再開を指示する手段と、前記スキャン指示情報と前記スキャン状態情報とを保存するスキャン指示情報記憶部とをさらに具備し、前記リスト処理の中断が指示されると、前記スキャン指示情報と前記スキャン状態情報とを保存し、前記リスト処理の再開が指示されると、前記スキャン指示情報と前記スキャン状態情報とを読み出して、リスト処理を開始する。
【００１１】
また、前記スキャン状態情報作成部は、原稿の読み取り時にエラーが検出されると、該エラーを検出した際の前記スキャン指示情報の状態を保留とする。
【００１２】
また、前記スキャン指示情報読み出し部は、前記スキャン状態情報に基づき、任意の状態の前記スキャン指示情報を前記スキャン指示情報リストから抽出して一覧表示し、前記スキャン指示情報リストから抽出された前記スキャン指示情報の中から原稿の読み取りを行うスキャン指示情報を読み出す。
【００１３】
また、前記スキャン指示情報リストから抽出する前記スキャン指示情報の状態を指示する抽出情報指示部と、原稿の読み取りを行う前記スキャン指示情報を指示するスキャン指示情報選択部とをさらに具備する。
【００１４】
また、前記スキャン指示情報読み出し部は、原稿の読み取りを保留した状態の前記スキャン指示情報を前記スキャン指示情報リストから抽出して一覧表示する。
【００１５】
次に、本発明における原稿読み取り方法は、スキャン指示情報リストに従って原稿の読み取りを行う原稿読み取り方法において、前記スキャン指示情報リストのスキャン指示情報毎にスキャン状態情報作成部でスキャン状態情報を作成し、スキャン指示情報選択部で指示された前記スキャン指示情報の原稿の読み取りを行う。
【００１６】
また、本発明における原稿読み取り方法は、スキャン指示情報リストに従って原稿の読み取りを行う原稿読み取り方法において、前記スキャン指示情報リストのスキャン指示情報毎にスキャン状態情報作成部でスキャン状態情報を作成し、原稿の読み取りの保留が指示されると保留された原稿の読み取りに対応する前記スキャン指示情報の前記スキャン状態情報を「保留」とし、次に原稿の読み取りを行うスキャン指示情報をスキャン指示情報読み出し部で読み出す。
【００１７】
また、前記スキャン情報指示リストに従って原稿の読み取りを行うリスト処理の中断が指示されると、前記スキャン指示情報と前記スキャン状態情報とをスキャン指示情報記憶部に保存し、前記リスト処理の再開が指示されると、前記スキャン指示情報と前記スキャン状態情報とを読み出して、リスト処理を開始する。
【００１８】
また、原稿の読み取り時にエラーが検出されると、該エラーを検出した際の前記スキャン指示情報の状態を「保留」とする。
【００１９】
また、前記スキャン状態情報に基づき、任意の状態の前記スキャン指示情報を前記スキャン指示情報リストから抽出して一覧表示し、前記スキャン指示情報リストから抽出された前記スキャン指示情報の中から原稿の読み取りを行うスキャン指示情報を読み出す。
【００２０】
また、抽出情報指示部で指示された状態をもつ前記スキャン指示情報を前記スキャン指示情報リストから抽出し、スキャン指示情報選択部で指示された前記スキャン指示情報の原稿の読み取りを行う。
【００２１】
また、原稿の読み取りを保留した状態の前記スキャン指示情報を前記スキャン指示情報リストから抽出することを特徴とする。
【発明の効果】
【００２２】
本発明では、リストを用いた原稿の読み取り作業を特定の手順に縛られず、より実用的な順序で処理することが可能となる。
【発明を実施するための最良の形態】
【００２３】
以下、本発明に係る原稿読み取り装置、及び原稿読み取り方法を実施するための最良の形態について、添付図面を参照して詳細に説明する。
【実施例１】
【００２４】
図１は、本実施例に係る原稿読み取り装置の構成の一例を示す機能ブロック図である。同図に示すように、原稿読み取り装置１０は、スキャン指示情報リスト入力部１１と、スキャン状態情報作成部１２と、スキャン指示情報記憶部１３と、スキャン情報読み出し部１４と、表示部１５と、原稿読み取り部１６と、読み取り指示部１７とで構成されている。
【００２５】
スキャン指示情報リスト入力部１１は、読み取りを行う原稿ごとに設定されたスキャンパラメータであるスキャン指示情報のリスト（スキャン指示情報リスト）の入力を受け付ける。
【００２６】
スキャンパラメータとしては、例えば、図２に一例を示すように、図面名称（保存ファイル名）、原稿枚数、原稿サイズ、原稿の画質、保存するイメージファイルのフォーマットや解像度など、原稿の取り込みに必要な任意の情報を用いることができる。
【００２７】
スキャン指示情報リストの入力は、例えば、図示しないＰＣ(personal computer)、携帯端末などの外部装置と有線／無線ＬＡＮ(Local Area Network)などのネットワークやPoint to Pointの通信などを介して接続し、当該外部装置から送信されたスキャン指示情報リストを受信方法や、図示しない読み取り装置に挿入されたＦＤ(Flexible Disk)、光ディスク、メモリカードなどの記録メディアから読み取る方法、図示しない操作端末で入力されたスキャン指示情報に基づいてスキャン指示情報リストを作成する方法など、任意の方法を用いることができる。
【００２８】
スキャン状態情報作成部１２は、図２に一例を示すように、スキャン指示情報毎に現在の状態を示すスキャン状態情報を作成する。
【００２９】
スキャン状態情報としては、原稿の読み取りが完了したことを示す「完了」状態、原稿の読み取りを保留したことを示す「保留」状態があり、スキャン指示情報リストが入力された際には、リストに挙げられているすべてスキャン指示情報のスキャン状態情報を「初期」状態とする。
【００３０】
スキャン指示情報記憶部１３は、スキャン指示情報リストとスキャン状態情報とを受信すると、スキャン状態情報とスキャン指示情報と関連付けて記憶する。
【００３１】
さらに、規定原稿枚数に満たない場合は途中経過の画像情報（既に読み取った画像情報や原稿枚数など）もスキャン状態情報に含めることで読み取り作業再開時に続きの原稿から作業をはじめることが可能となる。
【００３２】
スキャン指示情報読み出し部１４は、スキャン指示情報記憶部１３から読み取りを行う原稿のスキャン指示情報を読み出し、読み出した情報を表示部１５に送信する。
表示部１５は、ディスプレイなどの表示端末であり、スキャン指示情報読み出し部１４から受信した情報を表示する。
【００３３】
スキャン処理指示部１６は、ユーザから原稿の読み取り開始が指示されると、原稿読み取り部１７に原稿の読み取りを指示し、スキャン指示情報で設定された枚数の原稿の読み取りが完了すると、スキャン状態情報作成部１２に画像の取り込みが完了した旨を通知する。
【００３４】
また、原稿読み取りの保留が指示された場合や、原稿読み取り部１７から原稿のジャム（紙詰まり）などのエラーが通知された場合は、スキャン状態情報作成部１２に原稿の読み取りを保留した旨やエラーが発生した旨を通知する。
【００３５】
さらに、スキャン状態情報作成部１２に原稿読み取りの完了や保留を通知すると、スキャン指示情報読み出し部１４に次に読み取りを行う原稿のスキャン指示情報の読み出しを指示する。
【００３６】
なお、ユーザからの指示は、例えば、表示部１５にＵＩ(user interface)を表示し、図示しないタッチパネルやマウス、キーボードなどを具備する操作端末を用いてユーザが指示することで行う。
【００３７】
原稿読み取り部１７は、スキャン処理指示部１６の指示に従って原稿をスキャンし、読み取りを行う。
【００３８】
また、原稿のジャムなどのエラーが発生すると、エラーの発生をスキャン処理指示部１６に通知する。
【００３９】
上記構成を用いて本実施例に係る原稿読み取り装置は、スキャン指示情報リストが入力されると、スキャン指示情報毎にスキャン指示状態情報を作成し、スキャン指示情報とスキャン状態情報とを関連付けて記憶する。
【００４０】
そして、原稿の読み取りが完了した場合や、原稿の読み取りを保留した場合など、スキャン指示情報の現在の状態が変化すると、この変化に合わせてスキャン状態情報を作成、更新する。
【００４１】
図３は、本実施例における原稿読み取り処理の流れを示すフローチャートである。
【００４２】
まず、スキャン指示情報リストが入力される（ステップ１００）と、スキャン指示情報毎にスキャン状態情報を「初期」として関連付けて記憶し（ステップ１０１）、原稿の読み取りを行うスキャン指示情報として、リスト処理の順序が最も早いスキャン指示情報を表示する（ステップ１０２）。
【００４３】
ここで、原稿の読み取りの保留が指示される（原稿の読み取り開始が指示されない）（ステップ１０３でＮＯ）と、スキャン状態情報を「保留」とし（ステップ１０４）、原稿読み取りの順番を待っているスキャン指示情報がスキャン指示情報リストにあるか否かの判断を行う（ステップ１０５）。
【００４４】
一方、ステップ１０３で原稿の読み取り開始が指示される（ステップ１０３でＹＥＳ）と、原稿の読み取りを行い（ステップ１０６）、エラーが検出される（ステップ１０７でＹＥＳ）と、スキャン状態情報を「保留」とし（ステップ１０８）、処理を終了する。
【００４５】
また、エラーが検出されずに原稿の読み取りが終了する（ステップ１０７でＮＯ）と、スキャン状態情報を「完了」とする（ステップ１０９）。
【００４６】
そして、原稿読み取りの順番を待っているスキャン指示情報がスキャン指示情報リストにあるか否かの判断を行い（ステップ１０５）、スキャン指示情報があると判断する（ステップ１０５でＹＥＳ）と、原稿の読み取りを行うスキャン指示情報を表示し（ステップ１０２）、スキャン指示情報がないと判断する（ステップ１０５でＮＯ）と、処理を終了する。
【００４７】
なお、原稿の読み取り保留を指示する際、保留の理由を選択/記入するように構成してもよく、この構成では、保留した理由が分かるため、作業継続するために必要な条件を把握することができる。
【００４８】
この場合、スキャン状態情報に「保留の理由」を含めることになる。例えば、ユーザ指示による「保留」と、エラーによる「保留」は、「保留：ユーザ指示」、「保留：エラー」のように「保留の理由」を加えて区別できるようにする。
【００４９】
さらに「保留：スキャナ故障」、「保留：原稿ジャム」など、「保留の理由」にエラーの原因を記入してもよい。もちろん、上記２つの「保留」を状態として区別できるように別の状態にしてもよい。
【００５０】
本実施例では、原稿読み取りの順番が回ってきているにも関わらず、原稿の準備ができていない場合など、スキャン指示情報のリストに従って原稿の読み取り作業を行うことができない場合であっても、ユーザの保留指示によって、作業の妨げとなっている原稿の読み取り後回しすることができる。
【実施例２】
【００５１】
本実施例は、任意の状態のスキャン指示情報一覧の中からユーザがスキャン指示情報を選択して原稿の読み取りを行うものである。
【００５２】
図４は、本実施例に係る原稿読み取り装置の構成の一例を示す機能ブロック図である。
【００５３】
同図に示すように、原稿読み取り装置２０は、スキャン指示情報リスト入力部１１と、スキャン状態情報作成部１２と、スキャン指示情報記憶部１３と、スキャン情報読み出し部１４と、表示部１５と、原稿読み取り部１６と、読み取り指示部１７と、スキャン指示情報選択部１８と、抽出情報指示部１９とで構成されている。
【００５４】
なお、図１と共通な機能を果たす部分には、図１で使用した符号と同一の符号を付して、その詳細な説明を省略する。
【００５５】
スキャン指示情報読み出し部１４は、特定のスキャン状態情報に対応するスキャン指示情報をすべてのスキャン指示情報から抽出して一覧を作成し、抽出されたスキャン指示情報の一覧を表示部１５に送信する。
【００５６】
また、抽出情報一覧から原稿の読み取りを行うスキャン指示情報が選択されると、当該スキャン指示情報を読み出し、表示部１５に送信する。
【００５７】
抽出情報指示部１９は、ユーザがスキャン状態情報を指定すると、当該スキャン状態情報に対応するスキャン指示情報だけをスキャン指示情報リストから抽出し、抽出情報一覧をスキャン指示情報読み出し部１４に指示する。
【００５８】
例えば、抽出情報指示部で「保留」を選択すると、対応するスキャン状態情報が「保留」であるスキャン指示情報だけが表示されるため、なんらかの理由でスキップした作業だけをピックアップすることができる。
【００５９】
「保留の理由」も保存されている構成では、「保留の理由」も同時に指示することで、より細かく分類、表示することが可能となる。
【００６０】
スキャン指示情報選択部１８は、ユーザの指示に従って、抽出情報一覧から原稿の読み取りを行うスキャン指示情報を選択する。
【００６１】
上記構成を用いて本実施例に係る原稿読み取り装置は、スキャン状態情報に基づいてスキャン指示情報の一覧を作成し、ユーザが選択したスキャン指示情報に対応する原稿の読み取りを行う。
【００６２】
図５は、本実施例における原稿読み取り処理の流れを示すフローチャートである。
【００６３】
まず、スキャン指示情報一覧表示が指示され（ステップ２００）、一覧表示するスキャン指示情報の状態が指示される（ステップ２０１）と、スキャン指示情報リストの中から指示された状態を示すスキャン状態情報に対応するスキャン指示情報を抽出する（ステップ２０２）。
【００６４】
次に、スキャン指示情報リストから抽出されたスキャン指示情報（抽出情報）の一覧を作成、表示し（ステップ２０３）、スキャン指示情報が選択される（ステップ２０４）と、当該スキャン指示情報を原稿の読み取りを行うスキャン指示情報として表示する（ステップ２０５）。
【００６５】
そして、原稿の読み取りを行い（ステップ２０６）、抽出情報の一覧で選択されたスキャン指示情報のスキャン状態情報を「完了」とする（ステップ２０７）。
【００６６】
ここで、抽出情報に他のスキャン指示情報があるか否かの判断を行い（ステップ２０８）、他のスキャン指示情報があると判断する（ステップ２０８でＹＥＳ）と、スキャン指示情報リストの中からスキャン指示情報を抽出して抽出情報を更新し（ステップ２０２）、他のスキャン指示情報がないと判断する（ステップ２０８でＮＯ）と、処理を終了する。
【００６７】
別の方法としては、ステップ２０８の後、スキャンを実行したスキャン状態情報だけを更新し、ステップ２０２ではなく、ステップ２０４を実行して、抽出したスキャン指示情報のリスト全体を更新しないようにしてもよい。
【００６８】
また、ステップ２０３でフィルタリング後のスキャン指示情報一覧（スキャン指示情報リスト）を作成した後、このリストを用いて図３で示した実施例１のステップ１０２以降の処理を実施することにより、フィルタリング後のスキャン指示情報リストを用いたリスト処理を行ってもよい。
【００６９】
なお、スキャン指示情報リストから抽出するスキャン指示情報の状態としては、「保留」、「初期」など、「完了」前の状態であればよい。
【００７０】
また、「保留」又は「初期」状態のスキャン指示情報を抽出するなど、複数の状態を指定してスキャン指示情報を抽出し、抽出情報の一覧を作成するように構成してもよい。
【００７１】
さらに、「完了」状態以外のスキャン指示情報を抽出して抽出情報一覧を作成、表示するなど、スキャン指示情報リストから抽出しない状態を指定するように構成してもよい。
【００７２】
加えて、リスト処理の間に抽出情報の一覧作成の要求を受け付け、抽出情報の一覧からスキャン指示情報を選択した場合は、リスト処理を一時中断し、選択したスキャン指示情報に対応する原稿の読み取りを行うように構成してもよい。
【００７３】
この構成では、例えば、「保留」状態のスキャン指示情報を抽出して一覧表示することで、読み取りを後回しにした原稿が表示され、原稿が用意でき次第その場で読み取りを行うことにより、進捗が遅れていた処理を先に処理できる。
【００７４】
本実施例では、ユーザがリスト処理の進捗を容易に確認することが可能であり、また、原稿の入力順序を自由にすることができる。
【００７５】
ところで、本実施の形態では、抽出情報の一覧を作成して原稿の読み取りを行っているが、スキャン指示情報リストに関連付けられているスキャン状態情報を抽出し、スキャン状態情報の一覧を表示してもよく、この構成では、リスト処理の進捗を確認することができる。
【００７６】
この際、「完了」状態を表示しない。もしくは「保留」及び「初期」状態だけをリストすることにより、残務を把握することが可能であり、さらに、グラフもしくは数値で対比して表示することにより、進捗状況をより容易に把握することができる。
【００７７】
また、「スキャン状態情報」の一覧時、リスト処理を複数回に分けて行う際、今日「完了」状態になった分だけ、色分けなどで区別して表示することにより、今日の進捗を容易に把握することが可能であり、さらに、再開のたびに「完了」状態を色分け表示すると共に、完了日時を表示することで、今日の進捗だけでなく、日々の進捗状況を容易に把握することができる。
【００７８】
ここで、一覧表示は、原稿を読みとって画像を保存したファイル名、もしくは、保存予定のファイル名で整列させて表示してもよく、この際、「完了」状態のファイル名を保存日時の順で整列させることにより、できあがり部分の作業履歴を把握することができる。
【実施例３】
【００７９】
本実施例は、スキャン指示情報のリストに従って原稿の読み取りを行う作業を中断した際、中断した作業の再開を可能とするものである。
【００８０】
本実施例に係る原稿読み取り装置は、次の点を除き図１記載の原稿読み取り装置と同様であり、その詳細な説明を省略する。
【００８１】
スキャン処理指示部１６は、スキャン指示情報リストを用いた原稿の読み取り（リスト処理）の中断・再開が指示されると、リスト処理の中断・再開をスキャン指示情報読み出し部１４に通知する。
【００８２】
スキャン指示情報読み出し部１４は、リスト処理の中断が通知されると、スキャン指示情報記憶部１３にスキャン指示情報リスト及びスキャン状態情報の保存を指示する。
【００８３】
また、リスト処理の再開が通知されると、スキャン指示情報記憶部１３に保存されているスキャン指示情報リストおよびスキャン状態情報を読み出し、読み出した情報を表示部１５に送信する。
【００８４】
上記構成を用いて本実施例に係る原稿読み取り装置は、リスト処理の中断が指示されると、スキャン指示情報リスト及びスキャン状態情報を保存し、リスト処理の再開が指示されると、保存しているスキャン指示情報リストからスキャン指示情報を読み出し、原稿の読み取りを行う。
【００８５】
選択されていたスキャン指示情報がどれであるか分かる情報を保存される情報に含めることで、再開時に選択状態も復元することができる。例えば、スキャン状態情報に「選択中」という状態を追加してもよいし、スキャン指示情報やスキャン状態情報とは別に情報を追加してもよい。
【００８６】
図６は、本実施例において、現在選択しているスキャン指示情報の処理が終了した時点でリスト処理を中断する場合の原稿読み取り処理の流れを示すフローチャートである。
【００８７】
まず、リスト処理の中断が指示され（ステップ３００）、現在選択しているスキャン処理情報の原稿の読み取りが終了する（ステップ３０１）と、現在選択しているスキャン処理情報のスキャン状態情報を「完了」とし（ステップ３０２）、スキャン指示情報とスキャン状態情報とを関連付けてスキャン指示情報リストを保存する（ステップ３０３）。
【００８８】
そして、リスト処理の再開が指示される（ステップ３０４）と、リスト処理中断時に保存したスキャン指示情報リストから、スキャン状態情報が「初期」であり、リスト処理の順序が最も早いスキャン指示情報を読み出し（ステップ３０５）、当該スキャン指示情報を原稿の読み取りを行うスキャン指示情報として表示する（ステップ３０６）。
【００８９】
図７は、複数枚の原稿をスキャン中にリスト処理の中断が指示された際の原稿読み取り処理の流れを示すフローチャートである。
【００９０】
まず、リスト処理の中断が指示され（ステップ４００）、原稿の読み取りを中断する（ステップ４０１）と、現在選択されているスキャン指示情報のスキャン状態情報を「選択中」とし（ステップ４０２）、途中経過の画像情報（既に読み取った画像情報や原稿枚数など）をスキャン状態情報に加えると共に、スキャン指示情報と当該スキャン状態情報とを関連付けてスキャン指示情報リストを保存する（ステップ４０３）。
【００９１】
そして、リスト処理の再開が指示される（ステップ４０４）と、リスト処理中断時に保存したスキャン指示情報リストから、スキャン状態情報が「選択中」であるスキャン指示情報を読み出し（ステップ４０５）、当該スキャン指示情報を原稿の読み取りを行うスキャン指示情報として表示する（ステップ４０６）。
【００９２】
ここで、原稿の読み取り開始が指示される（ステップ４０７）と、原稿の読み取りを行い（ステップ４０８）、リスト処理中断時に読み取っていた原稿に連続するページとして画像を追加保存する（ステップ４０９）。
【００９３】
このように本実施例では、ユーザの指示によってリスト処理の中断／再開を行うことができる。
【００９４】
また、リスト処理再開時に読み取った原稿を、リスト処理を中断した際に読み取っていた原稿の次ページとして処理を行うことができる。
【図面の簡単な説明】
【００９５】
【図１】実施例１、３における原稿読み取り装置の一例を示す機能ブロック図
【図２】スキャン状態情報が関連付けられたスキャン指示情報リストの一例を示す図
【図３】実施例１における原稿読み取り処理の流れを示すフローチャート
【図４】実施例２における原稿読み取り装置の一例を示す機能ブロック図
【図５】実施例２における原稿読み取り処理の流れを示すフローチャート
【図６】実施例３における原稿読み取り処理の流れを示すフローチャート
【図７】実施例３における原稿読み取り処理の流れを示すフローチャート
【符号の説明】
【００９６】
１０、２０…原稿読み取り装置
１１…スキャン指示情報リスト入力部
１２…スキャン状態情報作成部
１３…スキャン指示情報記憶部
１４…スキャン情報読み出し部
１５…表示部
１６…原稿読み取り部
１７…読み取り指示部
１８…抽出情報一覧作成指示部
１９…スキャン指示情報選択部
【図１】
2006067475.tif 000003
【図２】
2006067475.tif 000004
【図３】
2006067475.tif 000005
【図４】
2006067475.tif 000006
【図５】
2006067475.tif 000007
【図６】
2006067475.tif 000008
【図７】
2006067475.tif 000009